【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
ポリマーの製造方法であって、
ｉ）反応容器に、液相のオリゴマー前駆体を、任意選択的にその他の化合物と共に提供する工程と、
ｉｉ）前記オリゴマー前駆体に、それが液相である間に、剪断作用と前記オリゴマー前駆体が重合を生じる温度とを与えて、液相に分散された固相ポリマーを形成する工程であって、前記ポリマーが必要な分子量になる十分な時間にわたって行なわれる工程と、
ｉｉｉ）任意選択的に、前記固相において前記重合を継続する工程と、
ｉｖ）前記反応容器から前記ポリマーを排出する工程とを含み、
工程（ｉｖ）で排出される前記ポリマーが本質的に粉末形態にあるように、工程（ｉｉ）で溶融される前記オリゴマー前駆体に適用される前記温度および剪断作用が維持されることを特徴とする方法。
【請求項２】
ポリマーの製造方法であって、
ｉ）反応混合物を反応容器に提供する工程と、
ｉｉ）反応が生じて本質的に溶融形態にあるオリゴマー前駆体が形成されるような温度および圧力条件を前記反応混合物に与える工程と、
ｉｉｉ）前記オリゴマー前駆体に、それが液相である間に、剪断作用と前記オリゴマー前駆体が重合を生じる温度とを与えて、液相に分散された固相ポリマーを形成する工程であって、前記ポリマーが必要な分子量になる十分な時間にわたって行なわれる工程と、
ｉｖ）任意選択的に、前記固相において前記重合を継続する工程と、
ｖ）前記反応容器から前記ポリマーを排出する工程とを含み、
前記反応混合物が１種または複数種のモノマーを含み、工程（ｉｖ）で排出される前記ポリマーが本質的に粉末形態にあるように、工程（ｉｉｉ）で溶融される前記オリゴマー前駆体に適用される前記温度および剪断作用が維持されることを特徴とする方法。
【手続補正２】
【補正対象書類名】明細書
【補正対象項目名】００５５
【補正方法】変更
【補正の内容】
【００５５】
本発明を、実施例およびその好ましい実施形態を特に参照して本明細書に詳細に記載してきたが、変形および修正を、本発明の技術思想および範囲内で行えることは当業者であれば理解されるであろう。
本発明は以下の実施の態様を含むものである。
１．ポリマーの製造方法であって、
ｉ）反応容器に、液相のオリゴマー前駆体を、任意選択的にその他の化合物と共に提供する工程と、
ｉｉ）前記オリゴマー前駆体に、それが液相である間に、剪断作用と前記オリゴマー前駆体が重合を生じる温度とを与えて、液相に分散された固相ポリマーを形成する工程であって、前記ポリマーが必要な分子量になる十分な時間にわたって行なわれる工程と、
ｉｉｉ）任意選択的に、前記固相において前記重合を継続する工程と、
ｉｖ）前記反応容器から前記ポリマーを排出する工程とを含み、
工程（ｉｖ）で排出される前記ポリマーが本質的に粉末形態にあるように、工程（ｉｉ）で溶融される前記オリゴマー前駆体に適用される前記温度および剪断作用が維持されることを特徴とする方法。
２．工程ｉｉ）の前記剪断作用が、すき型ミキサーにより提供されることを特徴とする前記１に記載の方法。
３．前記オリゴマー前駆体が、ポリエチレンテレフタレート、ポリブチレンテレフタレート、ポリエチレンナフタレート、ポリブチレンナフタレート、ホモポリマーポリアセタール、コポリマーポリアセタール、二酸およびジアミンの縮合ポリマー、ポリエステル系熱可塑性エラストマー、ポリアミド系熱可塑性エラストマー、ポリエーテル系熱可塑性エラストマー、およびこれらのブレンドおよび変性生成物よりなる群から選択される材料を含むことを特徴とする前記１に記載の方法。
４．ポリマーの製造方法であって、
ｉ）反応混合物を反応容器に提供する工程と、
ｉｉ）反応が生じて本質的に溶融形態にあるオリゴマー前駆体が形成されるような温度および圧力条件を前記反応混合物に与える工程と、
ｉｉｉ）前記オリゴマー前駆体に、それが液相である間に、剪断作用と前記オリゴマー前駆体が重合を生じる温度とを与えて、液相に分散された固相ポリマーを形成する工程であって、前記ポリマーが必要な分子量になる十分な時間にわたって行なわれる工程と、
ｉｖ）任意選択的に、前記固相において前記重合を継続する工程と、
ｖ）前記反応容器から前記ポリマーを排出する工程とを含み、
前記反応混合物が１種または複数種のモノマーを含み、工程（ｉｖ）で排出される前記ポリマーが本質的に粉末形態にあるように、工程ｉｉｉ）で溶融される前記オリゴマー前駆体に適用される前記温度および剪断作用が維持されることを特徴とする方法。
５．前記モノマーが、１種または複数種の二酸および１種または複数種のジアミンを含むことを特徴とする前記４に記載の方法。
６．前記ジアミンが、ヘキサメチレンジアミン、ヘプタメチレンジアミン、オクタメチレンジアミン、ノナメチレンジアミン、デカメチレンジアミン、２−メチルペンタメチレンジアミン、ウンデカメチレンジアミン、ドデカメチレンジアミンおよびキシリレンジアミンよりなる群から選択されることを特徴とする前記５に記載の方法。
７．前記二酸が、アジピン酸、グルタル酸、スベリン酸、セバシン酸、ドデカン二酸、イソフタル酸、テレフタル酸、アゼライン酸およびピメリン酸よりなる群から選択されることを特徴とする前記５に記載の方法。
８．前記モノマーが、１種または複数種のビスフェノールを含むことを特徴とする前記４に記載の方法。
９．前記ビスフェノールが、ビスフェノールＡ、２，２−ビス（４−ヒドロキシ−３−メチルフェニル）プロパン、２，２−ビス（３−クロロ−４−ヒドロキシフェニル）プロパン、２，２−ビス（３−ブロモ−４−ヒドロキシフェニル）プロパン、２，２−ビス（４−ヒドロキシ−３−イソプロピルフェニル）プロパン、１，１−ビス（４−ヒドロキシフェニル）シクロヘキサン、１，１−ビス（４−ヒドロキシ−３−メチルフェニル）シクロヘキサンおよび１，１−ビス（４−ヒドロキシフェニル）−３，３，５−トリメチルシクロヘキサンよりなる群から選択されることを特徴とする前記９に記載の方法。
１０．前記モノマーが、ジカルボン酸の１種または複数種のジエステルを含むことを特徴とする前記５に記載の方法。
１１．前記ジエステルが、ジアリールカーボネート、ジアルキルカーボネート、混合アリール−アルキルカーボネート、ジフェニルカーボネート、ビス（２，４ジクロロフェニル）カーボネート、ビス（２，４，５−トリクロロフェニル）カーボネート、ビス（２−シアノフェニル）カーボネート、ビス（ｏ−ニトロフェニル）カーボネート、（ｏ−カルボメトキシフェニル）カーボネート、（ｏ−カルボエトキシフェニル）カーボネート、ジトリルカーボネート、ｍ−クレシルカーボネート、ジナフチルカーボネート、ジ（ビフェニル）カーボネート、ジエチルカーボネート、ジメチルカーボネート、ジブチルカーボネート、ジシクロヘキシルカーボネートおよびこれらの組み合わせよりなる群から選択されることを特徴とする前記１０に記載の方法。
１２．前記モノマーが、１種または複数種の脂肪族および／または芳香族ジヒドロキシ化合物を含むことを特徴とする前記４に記載の方法。
１３．前記芳香族ジヒドロキシ化合物が、４，４’−（３，３，５−トリメチルシクロヘキシリデン）ジフェノール、４，４’−ビス（３，５−ジメチル）ジフェノール、１，１−ビス（４−ヒドロキシ−３−メチルフェニル）シクロヘキサン、４，４−ビス（４−ヒドロキシフェニル）ヘプタン、２，４’−ジヒドロキシジフェニルメタン、ビス（２−ヒドロキシフェニル）メタン、ビス（４−ヒドロキシフェニル）メタン、ビス（４−ヒドロキシ−５−ニトロフェニル）メタン、ビス（４−ヒドロキシ−２，６−ジメチル−３−メトキシフェニル）メタン、１，１−ビス（４−ヒドロキシフェニル）エタン、１，１−ビス（４−ヒドロキシ−２−クロロフェニル）エタン、２，２−ビス（４−ヒドロキシフェニル）プロパン（ビスフェノールＡとして一般的に知られている）、２，２−ビス（３−フェニル−４−ヒドロキシフェニル）プロパン、２，２−ビス（４−ヒドロキシ−３−メチルフェニル）プロパン、２，２−ビス（４−ヒドロキシ−３−エチルフェニル）プロパン、２，２−ビス（４−ヒドロキシ−３−イソプロピルフェニル）プロパン、２，２−ビス（４−ヒドロキシ−３，５−ジメチルフェニル）プロパン、２，２−ビス（３，５，３’，５’−テトラクロロ−４，４’−ジヒドロキシフェニル）プロパン、ビス（４−ヒドロキシフェニル）シクロヘキシルメタン、２，２−ビス（４−ヒドロキシフェニル）−１−フェニルプロパン、２，４’−ジヒドロキシフェニルスルホン、２，６−ジヒドロキシナフタレン、ヒドロキノン、レゾルシノール、Ｃ１〜Ｃ３アルキル置換レゾルシノール、および前述のもののブレンドまたは混合物よりなる群から選択される化合物を含むことを特徴とする前記１２に記載の方法。
１４．前記モノマーが、少なくとも１種類の芳香族ジカルボン酸またはカルボン酸誘導体と、少なくとも１種類のジオールとを含むことを特徴とする前記４に記載の方法。
１５．前記芳香族ジカルボン酸またはカルボン酸誘導体が、テレフタル酸および／またはジメチルテレフタレートであり、前記ジオールが、ネオペンチルグリコール、シクロヘキサンジメタノール、２，２−ジメチル−１，３−プロパンジオールおよび式ＨＯ（ＣＨ２）ｎＯＨ（式中、ｎは２〜１０の整数である）の脂肪族グリコールのうちの１つまたは複数であることを特徴とする前記１４に記載の方法。
１６．前記芳香族ジカルボン酸またはカルボン酸誘導体が、テレフタル酸および／またはジメチルテレフタレートであり、前記ジオールが、エチレングリコール、１，４−ブタンジオール、１，３−プロパンジオール、１，６−ヘキサンジオールおよび１，４−シクロヘキサンジメタノールのうちの１つまたは複数であることを特徴とする前記１５に記載の方法。